(57)【要約】【課題】  柔らかいブラシ毛を用いながら、力の加減に係わらずブラシ毛の倒れを防止して作業性良く洗浄でき、しかも洗浄水の泡立ちや水含みが良好で洗浄効果と節水効果に優れる洗浄用具を提供する。【解決手段】  柄２のブラシ台２ａの下面にブラシ毛４を環状に植毛し、ブラシ台２ａの開口２ｂに吸水性のスポンジ５を挿着する。スポンジ５の高さはブラシ毛４の長さよりやや低くし、ブラシ毛４を被洗浄面Ａに当てた状態でスポンジ５と被洗浄面Ａとの間に空隙が形成されるようにする。ブラシ毛４を被洗浄面Ａに当てて払拭すると、ブラシ毛４の先端がやや変形してスポンジ５の下面が被洗浄面Ａに当たる。このスポンジ５がブラシ台２ａと被洗浄面Ａとの間隔を一定に保持してブラシ毛４を支え、ブラシ毛４の倒れを防止する。また、スポンジ５の吸水性により洗浄水Ｗの泡立ちや水含みが向上する。【選択図】図４
0003128899.tif 000002
【実用新案登録請求の範囲】
【請求項１】
柄の先端部のブラシ台にブラシ毛を環状に植毛し、ブラシ毛に囲まれた中央部空間にブラシ毛の長さよりやや低い高さの吸水体を取り付け、洗浄時に吸水体でブラシ毛の倒れを防止できるようにしたことを特徴とする、洗浄用具。
【請求項２】
吸水体をブラシ台の上面に突出させた、請求項１記載の洗浄用具。
【請求項３】
柄の内部に給水路を形成し、柄の後端部に給水ホースを接続する接続部を形成し、給水路で給水した洗浄水を吸水体に吐水する吐水口をブラシ台の下面に形成した、請求項１又は２記載の洗浄用具。
【請求項４】
柄の先端部のブラシ台にブラシ毛を環状に植毛し、ブラシ毛に囲まれた中央部空間にブラシ毛の長さよりやや低い高さの吸水体を取り付け、吸水体をブラシ台の上面に突出させ、柄の内部に給水路を形成し、柄の後端部に給水ホースを接続する接続部を形成し、給水路で給水した洗浄水を吸水体に吐水する吐水口をブラシ台の下面に形成し、洗浄時に吸水体でブラシ毛の倒れを防止できるようにしたことを特徴とする、洗浄用具。
【請求項５】
吸水体がスポンジである、請求項１〜４いずれか記載の洗浄用具。
【考案の詳細な説明】
【技術分野】
【０００１】
本考案は、柄の先端部にブラシ毛が植毛された洗浄用具に関する。
【背景技術】
【０００２】  従来、ブラシ毛を備えた洗浄用具は車両や浴槽等の洗浄に広く用いられており普及している。ところで、ブラシ毛の剛性は用途に応じて様々なものがあるが、例えば洗車用ブラシ（非特許文献１参照）などはボディの塗装面を傷つけないように柔らかいものを用いており、力の加減によってはブラシ毛が倒れやすく、作業性に劣る問題があった。また、ブラシ毛のみでは洗浄水の泡立ちや水含みに劣り、使用前に予め洗浄水を泡立たせる必要があるとともに使用する洗浄水の量も多いものであった。(公序良俗違反につき、不掲載）
【考案の開示】
【考案が解決しようとする課題】
【０００３】
本考案が解決しようとする課題は、従来のこれらの問題点を解消し、柔らかいブラシ毛を用いながら、力の加減に係わらずブラシ毛の倒れを防止して作業性良く洗浄でき、しかも洗浄水の泡立ちや水含みが良好で洗浄効果と節水効果に優れる洗浄用具を提供することにある。
【課題を解決するための手段】
【０００４】
かかる課題を解決した本考案の構成は、
１）  柄の先端部のブラシ台にブラシ毛を環状に植毛し、ブラシ毛に囲まれた中央部空間にブラシ毛の長さよりやや低い高さの吸水体を取り付け、洗浄時に吸水体でブラシ毛の倒れを防止できるようにしたことを特徴とする、洗浄用具
２）  吸水体をブラシ台の上面に突出させた、前記１）記載の洗浄用具
３）  柄の内部に給水路を形成し、柄の後端部に給水ホースを接続する接続部を形成し、給水路で給水した洗浄水を吸水体に吐水する吐水口をブラシ台の下面に形成した、前記１）又は２）記載の洗浄用具
４）  柄の先端部のブラシ台にブラシ毛を環状に植毛し、ブラシ毛に囲まれた中央部空間にブラシ毛の長さよりやや低い高さの吸水体を取り付け、吸水体をブラシ台の上面に突出させ、柄の内部に給水路を形成し、柄の後端部に給水ホースを接続する接続部を形成し、給水路で給水した洗浄水を吸水体に吐水する吐水口をブラシ台の下面に形成し、洗浄時に吸水体でブラシ毛の倒れを防止できるようにしたことを特徴とする、洗浄用具
５）  吸水体がスポンジである、前記１）〜４）いずれか記載の洗浄用具
にある。
【考案の効果】
【０００５】
本考案によれば、吸水体が被洗浄面に当たることでブラシ毛が吸水体で支えられ、柔らかいブラシ毛でも払拭中に倒れ難くなり、作業性良く洗浄できるようになる。また、吸水体で洗浄水の泡立ちや水含みが向上するから、使用前に泡立たせることなく直ちに洗浄作業でき、しかも吸水体が水含んだ洗浄水で洗浄を継続できるから、使用中に洗浄水を流し続ける必要がない。
【考案を実施するための最良の形態】
【０００６】
本考案では、吸水体をブラシ台の上面に突出させると、吸水体のみで洗浄する用途に兼用できる。柄の内部に給水路を形成して後端部に給水ホースを接続できるようにすると、バケツ等の洗浄水に浸漬させることなく片手で容易に洗浄作業できる。吸水体としては連続気泡を備えた弾性を有するスポンジが一般的に用いられる。以下、本考案の実施例を図面に基づいて具体的に説明する。
【実施例１】
【０００７】
図１は実施例の洗浄用具の斜視図、図２は実施例の洗浄用具の下面図、図３は図２のＡ−Ａ断面図、図４は実施例の洗浄用具の使用状態を示す説明図である。図中、１は洗浄用具、２は柄、２ａはブラシ台、２ｂは開口、２ｃは給水路、２ｄは吐水口、２ｅは給水口、３はキャップ、４はブラシ毛、５はスポンジ、６は給水ホース、Ａは被洗浄面、Ｗは洗浄水である。
【０００８】
本実施例の洗浄用具１は、図１〜３に示すようにポリエチレン製の柄２の先端部に開口２ｂを備えた環状のブラシ台２ａを形成し、内部には洗浄水Ｗを給水する給水路２ｃを先端から後端に渡って形成し、ブラシ台２ａの下面の柄２の根元には給水路２ｃの洗浄水Ｗを吐水する吐水口２ｄを形成し、柄２の後端の給水口２ｅには非給水時に閉塞するキャップ３を脱着自在に取り付けている。
【０００９】
ブラシ台２ａの下面には複数の毛束からなるポリプロピレン製のブラシ毛４を環状に植毛し、ブラシ毛４で囲まれた中央部空間には連続気泡を有するポリウレタン製の吸水性のスポンジ５をその上部がブラシ台２ａの上面からやや突出するように開口２ｂを通じて脱着自在に挿着している。スポンジ５の高さはブラシ毛４の長さよりやや低くし、ブラシ毛４の先端を被洗浄面Ａに当てた状態でスポンジ５と被洗浄面Ａとの間に高さＨが５ｍｍの空隙を形成している。
【００１０】
本実施例では、図１に示すように柄２の給水口２ｅからキャップ３を取り外し、水道の蛇口（図示せず）から伸びる給水ホース６を接続する。洗浄水Ｗを給水すると、図４に示すように洗浄水Ｗが吐水口２ｄから吐水してスポンジ５の全域に浸透し、その浸透した洗浄水Ｗが側方のブラシ毛４に給水される。
【００１１】
この状態でブラシ毛４を被洗浄面Ａに当てて洗浄用具１を動かしながら払拭すると、ブラシ毛４の先端がやや変形してスポンジ５の下面が被洗浄面Ａに当たる。しかし、スポンジ５がブラシ台２ａと被洗浄面Ａとの間隔を一定に保持してブラシ毛４を支えるから、ブラシ毛４がこれ以上大きく変形したり倒れたりすることがなく作業性が良い。また、スポンジ５で洗浄水Ｗの泡立ちや水含みが向上するから、使用前に泡立たせることなく直ちに洗浄作業でき、しかもスポンジ５が水含んだ洗浄水Ｗで洗浄を継続できるから、使用中に洗浄水Ｗを流し続ける必要がない。
【００１２】
図５に示すのは、実施例の洗浄用具の他の例である。図５は実施例の他の例の洗浄用具の斜視図である。図中、２ｆは接続部である。図５に示す実施例の他の例の洗浄用具１は、柄２とブラシ台２ａを脱着自在にし、様々な形状や長さの柄２を取り付けることができるように汎用性を高めたものとしている。また、ブラシ台２ａは横長楕円状にして開口２ｂを２箇所形成し、スポンジ５を２体挿着して広幅の面積を払拭できるようにしている。その他、符号、構成、作用効果は実施例と同じである。
【００１３】
図６に示すのは、実施例の洗浄用具の他の例である。図６は実施例の他の例の洗浄用具の縦断面図である。図中、５ａは水路、５ｂは凹所である。図６（ａ）に示す実施例の他の例の洗浄用具１は、スポンジ５の外周部に環状の水路５ａを形成し、吐水口２ｄから吐水した洗浄水Ｗをスポンジ５の周囲に迅速に行き渡らせてブラシ毛４に万遍なく給水できるようにしている。図６（ｂ）に示す実施例の他の例の洗浄用具１は、スポンジ５の吐水口２ｄ側正面に凹所５ｂを形成し、吐水口２ｄから吐水した洗浄水Ｗを一時貯水してスポンジ５の内部に浸透しやすくしている。その他、符号、構成、作用効果は実施例と同じである。
【産業上の利用可能性】
【００１４】
本考案の洗浄用具は、主として車両や浴槽等の洗浄に利用されるが、特に傷つきやすい塗装面の洗浄など柔らかいブラシ毛を要する用途に有用である。
【図面の簡単な説明】
【００１５】
【図１】実施例の洗浄用具の斜視図である。
【図２】実施例の洗浄用具の下面図である。
【図３】図２のＡ−Ａ断面図である。
【図４】実施例の洗浄用具の使用状態を示す説明図である。
【図５】実施例の他の例の洗浄用具の斜視図である。
【図６】実施例の他の例の洗浄用具の縦断面図である。
【符号の説明】
【００１６】
１  洗浄用具
２  柄
２ａ  ブラシ台
２ｂ  開口
２ｃ  給水路
２ｄ  吐水口
２ｅ  給水口
２ｆ  接続部
３  キャップ
４  ブラシ毛
５  スポンジ
５ａ  水路
５ｂ  凹所
６  給水ホース
Ａ  被洗浄面
Ｗ  洗浄水
【図１】
0003128899.tif 000003
【図２】
0003128899.tif 000004
【図３】
0003128899.tif 000005
【図４】
0003128899.tif 000006
【図５】
0003128899.tif 000007
【図６】
0003128899.tif 000008
【手続補正書】
【提出日】平成18年11月1日(2006.11.1)
【手続補正１】
【補正対象書類名】明細書
【補正対象項目名】０００２
【補正方法】変更
【補正の内容】
【０００２】
従来、ブラシ毛を備えた洗浄用具は車両や浴槽等の洗浄に広く用いられており普及している（特開平１１−１３７３３９号公報参照）。ところで、ブラシ毛の剛性は用途に応じて様々なものがあるが、例えば洗車用ブラシなどはボディの塗装面を傷つけないように柔らかいものを用いており、力の加減によってはブラシ毛が倒れやすく、作業性に劣る問題があった。また、ブラシ毛のみでは洗浄水の泡立ちや水含みに劣り、使用前に予め洗浄水を泡立たせる必要があるとともに使用する洗浄水の量も多いものであった。
【特許文献１】特開平１１−１３７３３９号公報